【手続補正書】
【提出日】平成18年7月3日(2006.7.3)
【手続補正１】
【補正対象書類名】特許請求の範囲
【補正対象項目名】全文
【補正方法】変更
【補正の内容】
【特許請求の範囲】
【請求項１】
流体を体腔内に噴霧するための、ハウジングと、体腔に挿入するノズルと、前記ハウジング内に移動可能な状態で収容される流体放出装置と、を備える流体分配装置であって、流体放出装置は、分配すべき流体を保存する容器と、該容器内に位置する吸引入口、及び、流体を前記ポンプから前記ノズルに搬送するための前記容器の一方端にある放出出口、を有する圧縮ポンプと、該ポンプを作動させるべくノズルに向かって容器を移動させるために前記容器に力を加える指操作式手段と、を備え、該指操作式手段は少なくとも１本のレバーを備え、該レバーは前記ハウジング内に旋回可能な状態で支持され、使用者が前記レバーを作動させたとき前記容器を前記ノズルに向かって押しやるよう前記容器に駆動自在に接続される流体分配装置。
【請求項２】
２本の対向するレバーがあり、該レバーがそれぞれにハウジングの部分と旋回可能な状態で接続され、使用者が前記レバーを握り締めると前記容器をノズルに向かって押しやるよう前記容器に駆動自在に接続される、請求項１に記載の流体分配装置。
【請求項３】
前記レバーが、前記容器の前記一方端の付近で容器に駆動自在に接続される、請求項１または２に記載の流体分配装置。
【請求項４】
前記レバーが、前記装置との間に駆動自在の接続を形成するよう、前記容器に取り付けられた歯付きラックと係合する歯付き部分を有する、請求項１から３に記載の流体分配装置。
【請求項５】
前記容器は、縦軸を有し、前記歯付きラックが容器の縦軸に平行に延在する、請求項４に記載の流体分配装置。
【請求項６】
各々の前記歯付きラックが２組の対向する歯、つまり第１レバーと係合する第１組の歯および第２レバーと係合する第２組の歯を有する、請求項４または５に記載の流体分配装置。
【請求項７】
前記容器が前記一方端に首部分を有し、前記歯付きラックが、前記各レバーとの組み合わせで駆動自在の接続を形成するよう、前記容器の首部分に取り付けられる、請求項４から６のいずれか一項に記載の流体分配装置。
【請求項８】
前記容器が、該容器に取り付けられた２つの歯付きラックを有する、請求項４から７のいずれか一項に記載の流体分配装置。
【請求項９】
請求項７に従属する場合において、前記２つの歯付きラックは、前記首部分に対向する側にそれぞれ配置される、請求項８に記載の流体分配装置。
【請求項１０】
前記首部分は、円筒形の外表面を有し、前記２つの歯付きラックは、前記首部分に関して直径方向に対向して配置される、請求項９に記載の流体分配装置。
【請求項１１】
前記歯付きラックは、前記歯付きラックを容器の首部分に取り付けるために使用するカラーに接続される、請求項７から１０のいずれか一項に記載の流体分配装置。
【請求項１２】
前記歯付きラックは、前記カラーの一体部品として形成される、請求項１１に記載の流体分配装置。
【請求項１３】
前記カラーが、該カラーの一体部品として形成された２つの歯付きラックを有する、請求項１２に記載の流体分配装置。
【請求項１４】
首部分の円筒形外表面は、前記カラーの部分に係合するように前記円筒形外表面に形成された周方向に延在する溝を有する、請求項１１から１３のいずれか一項に記載の流体分配装置。
【請求項１５】
周方向に延在する溝は、前記レバーが回転して前記容器を前記ノズルに向かって押しやるときに、前記カラーの部分が作用する環状の当接表面を画定している、請求項１４に記載の流体分配装置。
【請求項１６】
前記レバーは、前記容器に取り付けられた個々のラックと係合する第１および第２歯付き部分を有する、請求項４から１５のいずれか一項に記載の流体分配装置。
【請求項１７】
前記容器の一方側に配置された第１レバー、および前記容器の他方側に配置された第２レバーがあり、それぞれが前記容器に取り付けられた個々のラックと係合する第１および第２歯付き部分を有し、第１レバーの第１歯付き部分と係合する第１組の歯、および第２レバーの第１歯付き部分と係合する第２組の歯を有する第１ラックと、第１レバーの第２歯付き部分と係合する第１組の歯、および第２レバーの第２歯付き部分と係合する第２組の歯を有する第２ラックがある、請求項１６に記載の流体分配装置。
【請求項１８】
前記レバーがＵ字形の断面であり、架橋部分によって相互に接合された第１および第２フランジを有する、請求項１６または１７に記載の流体分配装置。
【請求項１９】
前記第１フランジは、前記第１歯付き部分を形成する端部分を有し、前記第２フランジは、前記第２歯付き部分を形成する端部分を有する、請求項１８に記載の流体分配装置。
【請求項２０】
前記レバーが、該レバーと前記ハウジングの部分との間の旋回可能な接続によって前記ハウジング内に旋回可能な状態で支持される、前記請求項のいずれか一項に記載の流体分配装置。
【請求項２１】
前記ハウジングが前壁、後壁、および２つの対向する側壁を有し、前記レバーが前壁および後壁に旋回可能な状態で接続される、請求項２０に記載の流体分配装置。
【請求項２２】
前記ハウジングが前壁、後壁および２つの対向する側壁を有し、前壁および後壁のうち少なくとも一方が、容器内の流体のレベルを見るために前記壁に開口を有する、請求項２０または２１に記載の流体分配装置。
【請求項２３】
前記各レバーが、側壁の個々の１つに形成された開口を通してハウジングから外側に突出する、請求項２１または２２に記載の流体分配装置。
【請求項２４】
前記開口から突出する各レバーの部分が把持部を形成している、請求項２３に記載の流体分配装置。
【請求項２５】
前記ノズルが本体部材の部分として形成され、前記レバーが、該レバーと前記本体部材との間の旋回可能な接続によって前記ハウジング内に旋回可能な状態で支持される、請求項１から１９のいずれか一項に記載の流体分配装置。
【請求項２６】
前記容器が、所定の体積を有した流体の薬剤調合物を含む、請求項１から２５のいずれか一項に記載の流体分配装置。
【請求項２７】
前記流体の薬剤調合物が溶液の製剤の形態である、請求項２６に記載の流体分配装置。
【請求項２８】
前記流体の薬剤調合物が懸濁液製剤の形態である、請求項２６に記載の流体分配装置。
【請求項２９】
流体の薬剤調合物が抗炎症性薬剤化合物を備える、請求項２６から２８のいずれか一項に記載の流体分配装置。
【請求項３０】
前記薬剤化合物がグルココルチコイド化合物である、請求項２９に記載の流体分配装置。
【請求項３１】
前記グルココルチコイド化合物が、６α，９α−ジフルオロ−１７α−（１−（オキソプロポキシ）−１１β−ヒドロキシ−１６α−メチル−３−オキソ−アンドロスタ−１，４−ジエン−１７β−カルボチオ酸Ｓ−フルオロメチルエステル、６α，９α−ジフルオロ−１７α−［（２−フラニルカルボニル）オキシ］−１１β−ヒドロキシ−１６α−メチル−３−オキソ−アンドロスタ−１，４−ジエン−１７β−カルボチオ酸Ｓ−フルオロメチルエステル、および６α，９α−ジフルオロ−１１β−ヒドロキシ−１６α−メチル−１７α−［（４−メチル−１，３−チアゾール−５−カルボニル）オキシ］−３−オキソ−アンドロスタ−１，４−ジエン−１７β−カルボチオ酸Ｓ−フルオロメチルエステルで構成されたグループから選択される、請求項３０に記載の流体分配装置。
【請求項３２】
前記薬剤化合物が、ＰＤＥ４抑制薬、ロイコトリエン拮抗薬、ｉＮＯＳ抑制薬、トリプターゼおよびエラスターゼ抑制薬、ベータ−２インテグリン拮抗薬およびアデノシン２ａ作用薬で構成されたグループから選択される、請求項２９に記載の流体分配装置。
【請求項３３】
前記流体放出装置が、縦軸を有して分配すべき流体を保存する容器と、該容器の一方端に取り付けられた圧縮ポンプから成り、該圧縮ポンプは、前記容器内に配置された吸引入口と、使用時には流体をポンプからノズルへと搬送する放出出口とを有し、前記容器は、該容器に取り付けられた少なくとも１つの歯付きラックを有する、請求項１から３２のいずれか一項に記載の流体分配装置で使用する流体放出装置。
【請求項３４】
前記歯付きラックは、前記容器の縦軸に平行に延在する、請求項３３に記載の流体放出装置。
【請求項３５】
前記歯付きラックは、前記容器の首部分に取り付けられたカラーの一体部品として形成することによって前記容器に取り付けられている、請求項３３または３４に記載の流体放出装置。
【請求項３６】
前記ラックが、前記容器の一体部品として形成することによって前記容器に取り付けられている、請求項３３または３４に記載の流体放出装置。
【請求項３７】
流体放出装置のハウジング・アセンブリであって、前記流体放出装置を移動可能な状態で支持するハウジングと、体腔に挿入するために自身から延在するノズルを有する本体と、前記流体放出装置の容器形成部分と歯で係合するために前記ハウジング内に旋回可能な状態で支持された少なくとも１本の歯付きレバーとを備えるアセンブリ。
【請求項３８】
前記容器の一方側に配置された第１レバーと、前記容器の他方側に配置された第２レバーがある、請求項３７に記載のアセンブリ。
【請求項３９】
前記レバーが、前記容器に取り付けられた個々のラックと係合する第１および第２歯付き部分を有する、請求項３７または３８に記載のアセンブリ。
【請求項４０】
前記レバーがＵ字形の断面であり、架橋部分によって相互に接合された第１および第２フランジを有する、請求項３９に記載のアセンブリ。
【請求項４１】
前記第１フランジは、前記第１歯付き部分を形成する端部分を有し、前記第２フランジは、前記第２歯付き部分を形成する端部分を有する、請求項４０に記載のアセンブリ。
【請求項４２】
前記ハウジングは、前壁、後壁および２つの対向する側壁を有し、前壁および後壁の少なくとも一方が、容器内の流体のレベルを見るための開口を有する、請求項３７から４１のいずれか一項に記載のアセンブリ。
【請求項４３】
前記レバーは、レバーとハウジングの部分との間の旋回可能な接続によってハウジング内に旋回可能な状態で支持される、請求項３７から４２のいずれか一項に記載のアセンブリ。
【請求項４４】
前記ハウジングは、前壁、後壁および２つの対向する側壁を有し、前記レバーが前壁および後壁に旋回可能な状態で接続される、請求項４３に記載のアセンブリ。
【請求項４５】
前記各レバーは、ハウジングから側壁の一方に形成された個々の開口を通して外側に突出する、請求項４２または４４に記載のアセンブリ。
【請求項４６】
前記開口から突出する各レバーの部分が把持部を形成する、請求項４５に記載のアセンブリ。
【請求項４７】
前記レバーが、本体と個々のレバーとの間の旋回可能な接続によって前記ハウジング内に旋回可能な状態で支持される、請求項３７から４２のいずれか一項に記載のアセンブリ。